【手続補正書】
【提出日】平成18年7月10日(2006.7.10)
【手続補正１】
【補正対象書類名】明細書
【補正対象項目名】特許請求の範囲
【補正方法】変更
【補正の内容】
【特許請求の範囲】
【請求項１】  モニターを備えて相互に作用するトランザクションターミナルを備え、該ターミナルは、オーソライズされたユーザの操作に応答して、情報、商品またはサービスを提供し、そして該モニター上に一連のトランザクションメッセージを表示するシステムにおけるユーザに非トランザクションメッセージを提供する方法において、
該トランザクションターミナルは、少なくとも１つ以上のメッセージファイルを備え、該メッセージファイルは少なくとも１つの非トランザクションメッセージからなるデジタルデータから構成されるものであり、
該トランザクションターミナルは、オーソライズされたユーザによる操作に応答して動作し、該モニター上に該一連のトランザクションメッセージを提供するように動作し、
該少なくとも２つの非トランザクションメッセージファイルから１つを選択し、および
該選択されたメッセージファイルを読み、そして、該非トランザクションメッセージを、該一連のトランザクションメッセージの合間に表示するように動作することを特徴とするユーザに非トランザクションメッセージを提供する方法。
【請求項２】  該非トランザクションメッセージ表示は、ユーザが要求したトランザクションのオーソライゼーションによって、ユーザに該オーソライゼーションの通知をする前に開始されることを特徴とする請求項１における方法。
【請求項３】  該非トランザクションメッセージが表示される期間の少なくとも一部に対応する期間、該オーソライゼーションに従って、要求されたトランザクションを実行するターミナルの動作が遅れることを特徴とする請求項１に記載の方法。
【請求項４】  該トランザクションターミナルは、トランザクション容認のためにホストサーバと通信をし、該ホストは、トランザクションオーソライゼーションメッセージを該トランザクションターミナルに与え、そして該トランザクションターミナルは、該トランザクションオーソライゼーションメッセージに応答して該非トランザクションメッセージ表示を開始することを特徴とする請求項１に記載の方法。
【請求項５】  モニターを備える対話型トランザクションターミナルを備え、該ターミナルは、オーソライズされたユーザの操作に応答して、情報、商品またはサービスを提供し、そして該モニター上に一連のトランザクションメッセージを表示するシステムにおけるユーザに非トランザクションメッセージを提供する方法において、
該トランザクションターミナルは、複数のメッセージファイルを記憶し、該メッセージファイルは複数の選択可能な非トランザクションメッセージに対応するデジタルデータから構成されるものであり、
該トランザクションターミナルは、オーソライズされたユーザにより入力されたトランザクションデータに応答して動作し、該モニター上に該一連のトランザクションメッセージを提供するように動作し、
少なくとも該一部のトランザクションデータに従って該オーソライズされたユーザの１人に表示する該メッセージファイルの１つを選択し、
選択された該非トランザクションメッセージを、該一連のトランザクションメッセージの合間に表示するように動作することを特徴とする方法。
【請求項６】  選該択するステップは該トランザクションデータに従ってメッセージを選択することを特徴とする請求項５に記載の方法。
【請求項７】  該選択するステップは、該オーソライズされたユーザに関連する設定を識別するトランザクションデータに従って、メッセージを選択することを特徴とする請求項６に記載の方法。
【請求項８】  該選択するステップは、トランザクションの総額に従ってメッセージファイルを選択することを特徴とする請求項５に記載の方法。
【請求項９】  該トランザクションターミナルは、ホストと通信し、該ホストは、該表示のためのメッセージファイルの選択をコントロールするために、メッセージを該トランザクションターミナルに提供することを特徴とする請求項５に記載の方法。
【請求項１０】  該選択するステップは、その日の時間に従って、メッセージファイルを選択することを特徴とする請求項５に記載の方法。
【請求項１１】  プレイログにおいて、該非トランザクションメッセージの表示に関連したパラメーターを記録するステップをさらに構成していることを特徴とする請求項５に記載の方法。
【請求項１２】  該パラメーターは、該選択された非トランザクションメッセージが表示された日の時間を含むことを特徴とする請求項１１に記載の方法。
【請求項１３】  トランザクションターミナルは、ターミナルユーザによってリクエストされたトランザクションの処理のためにホストと通信し、そして、非トランザクションメッセージがトランザクションの間に該ユーザに表示されシステムにおいて、
該トランザクションターミナルは、非トランザクションメッセージに対応するデータにより構成される複数の選択可能なメッセージファイルを提供され、そして該ホストは、ユーザに表示される非トランザクションメッセージのタイミングをコントロールするために、該トランザクションターミナルに少なくとも１つのコマンドメッセージを提供する改良されたシステム。
【請求項１４】  該トランザクションは設定ファイルを備え、そして該ターミナルは、該設定ファイルにおけるデータに従って該メッセージファイルの１つを選択することを特徴とする請求項１３に記載の改良されたシステム。
【請求項１５】  該コマンドメッセージは、さらに該メッセージファイルの１つの選択をコントロールすることを特徴とする請求項１３に記載の改良されたシステム。
【請求項１６】  該ホストは、該ホストによって維持されている該ユーザについての情報に従って、該メッセージファイルの１つを選択するための該コマンドメッセージを設定することを特徴とする請求項１５に記載の改良されたシステム。
【請求項１７】  トランザクションターミナルが、オーソライズされたユーザ毎の識別デバイス読み取り可能機械の提示に応答するシステムにおいて、
該ターミナルにおける非トランザクションメッセージに対応する複数のメッセージファイルを記憶し、そして該識別デバイス読み取り可能機械から読まれたデータに従って、該ユーザに該非トランザクションメッセージを表示するために該メッセージファイルの１つを選択することにより構成されるユーザに非トランザクションメッセージを提供する方法。
【請求項１８】  該選択ステップは、該識別デバイス読み取り機械の発行者を識別するデータに応答することであることを特徴とする請求項１７に記載の方法。
【請求項１９】  該選択ステップは、該発行者の地理的位置に応答することであることを特徴とする請求項１８に記載の方法。
【請求項２０】  モニターを備える対話型トランザクションターミナルを備え、該ターミナルは、オーソライズされたユーザの操作に応答して、情報、商品またはサービスを提供し、そして該モニター上に一連のトランザクションメッセージを表示するシステムにおけるユーザに非トランザクションメッセージを提供する方法において、
スクリーンロードシークエンスはトランザクションメッセージを表示しない期間を含むものであって、トランザクションメッセージのスクリーンロードシークエンスにおいて、該トランザクションメッセージを整えること、
該期間に実質的に等しい表示時間をもつ少なくとも１つの該非トランザクションビデオ表示メッセージに対応する該メッセージファイルであり、メッセージファイルをターミナルで保存すること、
該スクリーンロードシークエンスの期間に、該非トランザクションビデオ表示メッセージを読込み、そして表示することを特徴とする非トランザクションメッセージを提供する方法。
【請求項２１】  該スクリーンロードシークエンスでの期間は、該ユーザによって要求されたトランザクション処理に従って整えれることを特徴とする.請求項２０に記載の方法。
【請求項２２】  モニターおよびディスペンサを備える対話型トランザクションターミナルを備え、該ターミナルは、オーソライズされたユーザの操作に応答して、現金もしくはその他メディアを処理し、そして該モニター上に一連のトランザクションメッセージを表示するシステムにおけるユーザに非トランザクションメッセージを提供する方法において、
少なくとも１つの非トランザクションメッセージに対応するデジタルデータを備えて、少なくとも１つのメッセージファイルを該トランザクションターミナルで保存すること、
該ユーザからのトランザクションデータを受けとること、そして該トランザクションデータを処理してオーソライゼーション信号を生成すること、および該ディスペンサの動作を容認すること、
該オーソライゼーション信号に応答して該非トランザクションメッセージを表示すること、および、
該オーソライゼーション信号に続く選択された時間において該非トランザクションメッセージの表示の間に該ディスペンサの動作を開始することを特徴とするユーザに非トランザクションメッセージを提供する方法。
【請求項２３】  該トランザクションターミナルは、該オーソライズ信号に従って、選択される時間に該ディスペンサのオペレーションを開始することを特徴とする請求項２２に記載の方法。
【請求項２４】  モニターとプリンタを備える対話型トランザクションターミナルを備えるシステムにおいて、該ターミナルは、オーソライズされたユーザの操作に応答して、トランザクションの記録をプリントし、そして該モニターに一連のトランザクションメッセージを表示する該ユーザに非トランザクションメッセージを提供する方法において、
少なくとも１つの非トランザクションメッセージに対応するデジタルデータを備えて、該トランザクションターミナルに少なくとも１つのメッセージファイルを保存すること、
該ユーザからトランザクションデータを受けとること、該トランザクションデータを処理してオーソライゼーション信号を生成すること、該トランザクションの記録のプリントを容認すること、
該オーソライゼーション信号に応答して該ユーザに該非トランザクションメッセージを表示すること、および
該オーソライゼーション信号に続く選択された時間において、該非トランザクションメッセージの表示の間に、該トランザクションの記録をプリントするために該プリンタの動作を開始することを特徴とするユーザに非トランザクションメッセージを提供する方法。
【請求項２５】  該トランザクションターミナルは、該オーソライズされた信号に従って選択された時間に該プリンタの動作を開始することを特徴とする請求項２４に記載の方法。
【請求項２６】  該少なくとも一つの非トランザクションメッセージは、それに関係して宣伝的なものを持ち、そのものをプリントするステップを含むことを特徴とする請求項２４に記載の方法。
【請求項２７】  プリントされた宣伝的なものはトランザクションデータに基づいて様々な誘因を提供することを特徴とする請求項２６に記載の方法。
【請求項２８】  該トランザクションデータは、それと共に宣伝的なものを持ち、その宣伝的なものをプリントすることのステップを含むことを特徴とする請求項２４に記載の方法。
【請求項２９】  プリントされた宣伝的なものは、トランザクションデータに基づく様々な誘因を提供するものであることを特徴とする請求項２６に記載の方法。
【請求項３０】  そのシステムは、さらにディスペンサを含み、そして該少なくとも１つの非トランザクションメッセージは、それに関連して予め決められた宣伝的なものを持ち、その予め定められた宣伝的なものを配布するディスペンサを動作するステップを含む方法であることを特徴とする請求項２４に記載の方法。
【請求項３１】  そのシステムは、さらにディスペンサを含み、そして該少なくとも１つの該トランザクションデータは、それに関連して予め決められた宣伝的なものを持ち、その予め定められた宣伝的なものを配布するディスペンサを動作するステップを含む方法であることを特徴とする請求項２４に記載の方法。
【請求項３２】  トランザクションターミナルはオーソライズされたユーザごとにトランザクションを処理し、そしてトランザクションメッセージの合間に該ユーザに非トランザクションメッセージを提示するように整えられたシステムにおいて、
該ターミナルは、該非トランザクションメッセージに対応する複数のメッセージファイルを保存するように整えられ、そして、ターミナルは、該ユーザに表示される非トランザクションメッセージに対応するメッセージファイルを選択するコントロールをするための設定ファイルを備える改良されたシステム。
【請求項３３】  該設定ファイルは、その日の時間に従って、前述のメッセージファイル選択をコントロールように整えられることを特徴とする請求項３２に記載の改良されたシステム。
【請求項３４】  該設定ファイルは、ローテーションシークエンスにおい該メッセージファイルを選択するように整えられることを特徴とする請求項３２に記載の改良されたシステム。
【請求項３５】  該設定ファイルは、トランザクションデータに従って、１つまたはそれ以上の該メッセージファイルを選択するように整えられることを特徴とする請求項３２に記載の改良されたシステム。
【請求項３６】  該トランザクションターミナルは、ホストと通信を行い、該設定ファイルは、該ホストから受け取ったメッセージに従って、該メッセージファイル選択をコントロールするように整えられることを特徴とする請求項３２に記載の改良されたシステム。
【請求項３７】  トランザクションターミナルはオーソライズされたユーザごとにトランザクションを処理し、そしてトランザクションメッセージの合間に該ユーザに非トランザクションメッセージを提示するように整えられたシステムにおいて、
該ターミナルは、該非トランザクションメッセージにそれぞれ対応する複数のメッセージファイルを保存するように整えられ、そして、ターミナルは、該ユーザに表示される非トランザクションメッセージを選択するために設定ファイルに応答し、該設定ファイルは、特定された期間に該選択をコントロールするのに有効であり、そして、その続く期間の設定ファイルが、該特定された期間に該トランザクションターミナルに提供される改良されたシステム。